(57)【特許請求の範囲】
【請求項１】
電動工具のハウジングに、左右を開口させたフック収容部を形成し、そのフック収容部に、左右に係止端部を有する略Ｕ字状のフックを、前記フック収容部から左側へ前記係止端部が突出する左突出位置と、前記フック収容部から右側へ前記係止端部が突出する右突出位置と、前記両係止端部が前記フック収容部内に収まる収容位置との間を移動可能に設けると共に、前記各位置の前記フックに夫々係止して前記各位置を保持させる保持手段を設けてなる電動工具のフック構造。
【請求項２】
保持手段を、各位置のフックに夫々対応して嵌合可能な嵌合部を有し、フック収容部内に突出して前記フックに嵌合する突出位置と、前記フック収容部内から退避して前記フックとの嵌合を解除する没入位置との間を出没可能で、付勢手段によって前記突出位置へ付勢され、前記フック収容部の外部から前記没入位置へ押し込み操作可能なロック部材としたことを特徴とする請求項１に記載の電動工具のフック構造。
【請求項３】
フックを、フック収容部に形成した逃げ部によって前記フック収容部から上方へ係止端部が突出する上突出位置に回転可能として、前記上突出位置の前記フックに係止して当該位置を保持させる第２の保持手段を設けたことを特徴とする請求項１又は２に記載の電動工具のフック構造。
【請求項４】
第２の保持手段を、上突出位置のフックを前後何れかの方向へスライドさせる第２の付勢手段と、逃げ部に連設され、前記第２の付勢手段によりスライドした前記フックが係止する係止凹部とから形成したことを特徴とする請求項３に記載の電動工具のフック構造。
【請求項５】
保持手段を、フックへの係止位置とフックから離れる離間位置との間をスライド可能且つ付勢手段によって前記係止位置へ付勢され、前記フック収容部の外部から前記離間位置へスライド操作可能なスライド部材と、前記フックに設けられ、前記フックの各位置ごとに前記係止位置のスライド部材が係止する複数の被係止部としたことを特徴とする請求項１に記載の電動工具のフック構造。
【発明の詳細な説明】
【技術分野】
【０００１】
本発明は、電動工具にその吊り下げ用に設けられるフックの構造に関する。
【背景技術】
【０００２】
電動工具には、壁に設けた係止部や作業者のベルト等に掛止して吊り下げられるようにフックが設けられることがある。このフックは、常に突出状態であると作業の邪魔になることから、例えば特許文献１では、電動工具のハウジングにフックの収容部を設けて、使用しない場合はフックを収容部へ収容できるようにしている。
一方、作業者が腰のベルトに吊り下げる場合、使い勝手に応じて左右何れでも吊り下げできるように、特許文献２では、グリップに設けた角形断面軸を中心として、左右にフックを備えたフックアームをスライド可能且つそのスライド範囲の両端で固定可能に設けたフック装置を開示している。
【０００３】
【特許文献１】特許第３６７６６０９号公報
【特許文献２】特開平１０−９４９７５号公報
【発明の開示】
【発明が解決しようとする課題】
【０００４】
このように、未使用時のフックの収容と両サイドでの使用とは何れも使い勝手の向上のためには必要であるが、特許文献１のような収容構造では、１つの使用位置（引き出し位置）からフック収容部へ収容する一方向の出し入れのみを想定しており、両サイドの２つの使用位置からの収容は構造上難しい。また、特許文献２のフックアームも、角形断面軸によってスライド可能に軸着される単純な構造であるため、グリップにフック収容部を設けて一方のサイドからの収容は可能であっても、両サイドからの収容はできない。仮にフックアームを中間位置で固定可能としても、左右の共用を確保する必要上フックアームのスライド方向の長さが大きいため、フックアームの両端が左右に張り出して結局作業の邪魔になる。
【０００５】
そこで、本発明は、簡単な構成で、未使用時のフックの収容と両サイドでの使用とを共に可能とする電動工具のフック構造を提供することを目的としたものである。
【課題を解決するための手段】
【０００６】
上記目的を達成するために、請求項１に記載の発明は、電動工具のハウジングに、左右を開口させたフック収容部を形成し、そのフック収容部に、左右に係止端部を有する略Ｕ字状のフックを、フック収容部から左側へ係止端部が突出する左突出位置と、フック収容部から右側へ係止端部が突出する右突出位置と、両係止端部がフック収容部内に収まる収容位置との間を移動可能に設けると共に、各位置のフックに夫々係止して各位置を保持させる保持手段を設けてなる。
請求項２に記載の発明は、請求項１の目的に加えて、構造の簡略化とフックの位置変更に伴う操作性の向上とを得るために、保持手段を、各位置のフックに夫々対応して嵌合可能な嵌合部を有し、フック収容部内に突出してフックに嵌合する突出位置と、フック収容部内から退避してフックとの嵌合を解除する没入位置との間を出没可能で、付勢手段によって突出位置へ付勢され、フック収容部の外部から没入位置へ押し込み操作可能なロック部材としたことを特徴とするものである。
請求項３に記載の発明は、請求項１又は２の目的に加えて、フック使用のバリエーションを増やしてより使い勝手を向上させるために、フックを、フック収容部に形成した逃げ部によってフック収容部から上方へ係止端部が突出する上突出位置に回転可能として、上突出位置のフックに係止して当該位置を保持させる第２の保持手段を設けたことを特徴とするものである。
請求項４に記載の発明は、請求項３の目的に加えて、第２の保持手段を簡単且つ合理的に構成するために、第２の保持手段を、上突出位置のフックを前後何れかの方向へスライドさせる第２の付勢手段と、逃げ部に連設され、第２の付勢手段によりスライドしたフックが係止する係止凹部とから形成したことを特徴とするものである。
請求項５に記載の発明は、請求項１の目的に加えて、フックの位置変更に伴う操作性の向上を得るために、保持手段を、フックへの係止位置とフックから離れる離間位置との間をスライド可能且つ付勢手段によって係止位置へ付勢され、フック収容部の外部から離間位置へスライド操作可能なスライド部材と、フックに設けられ、フックの各位置ごとに係止位置のスライド部材が係止する複数の被係止部としたことを特徴とするものである。
【発明の効果】
【０００７】
請求項１に記載の発明によれば、簡単な構成で、未使用時のフックの収容と左右の突出位置での使用とが共に可能となり、使い勝手に優れる。特に、収容位置ではフックの係止端部が左右へ張り出さないので、フックを使用しない際に係止端部が邪魔になることがなく、取扱に至便となる。
請求項２に記載の発明によれば、請求項１の効果に加えて、単一のロック部材の押し込みとその解除操作とによってフックの各位置での保持が可能となる。よって、構造が簡略化すると共に、フックの位置変更に伴う操作性も良好となる。
請求項３に記載の発明によれば、請求項１又は２の効果に加えて、フックがさらに上側のフックとしても使用可能となるため、フック使用のバリエーションが増えてより使い勝手が向上する。
請求項４に記載の発明によれば、請求項３の効果に加えて、上突出位置でのフックの保持が簡単且つ合理的に行える第２の保持手段を得ることができる。
請求項５に記載の発明によれば、請求項１の効果に加えて、スライド部材のスライド操作によってフックの各位置での保持が可能となるため、フックの位置変更に伴う操作性が良好となる。また、押し込み操作するロック部材に比べて電動工具からの突出量が小さくて済む。
【発明を実施するための最良の形態】
【０００８】
以下、本発明の実施の形態を図面に基づいて説明する。
［形態１］
図１は、電動工具の一例である電動ドライバの説明図で、上が平面、下が側面を夫々示す。この電動ドライバ１は、ハウジング２内に、図示しないモータ及び回転伝達機構、トルクリミッタ等を内蔵して前端（図１の左側を前方とする。）に把持させたドライバビット３にトルクを伝達する周知の構成で、ハウジング２の後方には、トリガースイッチ５を備えたハンドル４が延設されている。
また、ハウジング２の上面には、フックユニット６が設けられている。このフックユニット６は、ハウジング２に凹設された凹部７上に所定間隔をおいて上板８をネジ止めし、その上板８と凹部７の底面との間に、左右の側面を開口したフック収容部９を形成して、このフック収容部９内に、左右の幅がフック収容部９に略収まり、両係止端部１１，１１を前方へ向けた略Ｕ字状のフック１０を左右方向へスライド可能に収容したものである。なお、上板８の後端には、先端を前方へ向けた逆Ｌ字状の上フック１２が延設されている。
【０００９】
１３は、凹部７の中央でさらに深く凹設された嵌合凹部７ａに設けられたロックボタンで、本発明の保持手段（ロック部材）となっている。このロックボタン１３は、図２（Ａ）に示すように、上板８の中央を貫通して上方に突出する矩形状の操作部１４と、その操作部１４の左右にフック１０の係止端部１１が嵌合可能な溝１６を形成するように間隔をおいて配置され、操作部１４よりも低い高さでフック収容部９内に突出する嵌合部としての矩形状のロック部１５，１５とを有し、嵌合凹部７ａの底面との間に設けられた付勢手段としての前後一対のコイルバネ１７，１７により、図３（Ａ）にも示すように常態ではロック部１５，１５の上面が上板８に当接する上限位置（突出位置）に付勢されている。ここから操作部１４を利用してコイルバネ１７，１７の付勢に抗してロックボタン１３を押し下げると、ロック部１５，１５の上面が凹部７の底面と略面一となる下限位置（没入位置）まで下降させることができる。
【００１０】
フック１０は、左右の係止端部１１，１１の間に、操作部１４と、操作部１４の前後で凹部７上に突設された上板８のネジ止め用のボス１８，１８とを位置させた格好でフック収容部９内に収容されているので、ロックボタン１３を下限位置まで押し下げた状態でも、フック１０は操作部１４及びボス１８によって左右への抜け止めがされることになる。また、左右のロック部１５，１５は、夫々の左右の外側の端縁間距離がフック１０の両係止端部１１，１１の内寸法に収まるように、すなわち、ロック部１５，１５がフック１０の係止端部１１，１１間に嵌合するように大きさが設定されている。
【００１１】
以上の如く構成された電動ドライバ１のフック構造においては、図２（Ｂ）に示すようにロックボタン１３を下限位置まで押し下げると、操作部１４とボス１８，１８に左右の係止端部１１，１１が干渉する範囲でフック１０はフック収容部９内を左右にスライド可能となる。よって、例えばフック１０の右側の係止端部１１を右側のロック部１５と操作部１４との間の溝１６に位置させてロックボタン１３の押圧を解除すると、ロックボタン１３が上限位置へ復帰してフック１０の係止端部１１を溝１６に嵌合させる。よって、フック１０は、図２（Ａ）のように左側の係止端部１１がフック収容部９から左側へ突出する左突出位置で保持され、作業者の右側の腰ベルト等に吊り下げ可能となる。同様に、フック１０の左側の係止端部１１を左側の溝１６に嵌合させると、フック１０は右側の係止端部１１が右側へ突出する右突出位置で保持され、作業者の左側の腰ベルト等に吊り下げ可能となる。
【００１２】
そして、ロックボタン１３を下限位置まで押し下げた状態で、今度はフック１０を左右の係止端部１１，１１が夫々対応するロック部１５，１５の外側に位置するように中央にスライドさせてロックボタン１３の押圧を解除すると、図２（Ｃ）及び図３に示すように、フック１０はフック収容部９内に収まって左右の係止端部１１，１１が突出しない収容位置で保持される。なお、ここからフック１０を左右の突出位置へスライドさせる際も同様にロックボタン１３を下限位置へ押し下げればよい。凹部７及び上板８の左右の側縁には、こうしたフック１０の左右へのスライドを容易にするための切欠１９，１９・・が形成されている。
【００１３】
このように、上記形態１のフック構造によれば、ハウジング２に、左右を開口させたフック収容部９を形成し、そのフック収容部９に、係止端部１１，１１を有する略Ｕ字状のフック１０を、フック収容部９から左側へ係止端部１１が突出する左突出位置と、フック収容部９から右側へ係止端部１１が突出する右突出位置と、両係止端部１１，１１がフック収容部９内に収まる収容位置との間を移動可能に設けると共に、各位置のフック１０に夫々係止して各位置を保持させる保持手段（ロックボタン１３）を設けてなる構造としたことで、簡単な構成で、未使用時のフック１０の収容と左右の突出位置での使用とが共に可能となり、使い勝手に優れる。特に、収容位置ではフック１０の係止端部１１，１１が左右へ張り出さないので、フック１０を使用しない際に係止端部１１，１１が邪魔になることがなく、取扱に至便となる。
【００１４】
また、保持手段を、各位置のフック１０に夫々対応して嵌合可能なロック部１５を有し、フック収容部９内に突出してフック１０に嵌合する突出位置と、フック収容部９内から退避してフック１０との嵌合を解除する没入位置との間を出没可能で、コイルバネ１７によって突出位置へ付勢され、フック収容部９の外部から没入位置へ押し込み操作可能なロックボタン１３としたことで、単一のロックボタン１３の押し込みとその解除操作とによってフック１０の各位置での保持が可能となる。よって、構造が簡略化すると共に、フックの位置変更に伴う操作性も良好となる。
【００１５】
［形態２］
上記形態１では、フックを左右両サイドでのみ使用可能としているが、上側でも使用可能とすることができる。図４はその一例を示すものであるが、形態１と同じ構成部には同じ符号を付して重複する説明は省略する。
このフックユニット６ａでは、上板８に上フックはなく、ハウジング２において、上限位置にあるロックボタン１３の右側の溝１６の前方延長線上に、右側の係止端部１１が溝１６に嵌合した状態で前方への移動を許容する有底孔２０が形成されており、その有底孔２０には、底側に設けた第２の付勢手段としてのコイルバネ２１によって後方側（有底孔２０の閉塞側）へ付勢される蓋体２２が収容されている。
【００１６】
一方、上板８には、左突出位置から右側の係止端部１１が有底孔２０に挿入するようにフック１０を前方へスライドさせた状態で、フック１０の基端部１０ａの真上に位置し、左側の係止端部１１の上方への回転を許容する逃げ部としてのスリット２３が、左端縁から直交状に形成されている。このスリット２３の終端は、上方へ回転して起立したフック１０の基端部１０ａが嵌合可能な係止凹部２４が後方側に、フック１０の角部内面側との干渉を避けるための切欠部２５が前方側に夫々連設されたＴ字状となっている。この係止凹部２４に先のコイルバネ２１を加えて第２の保持手段が形成されることになる。
【００１７】
以上の如く構成されたフック構造においても、形態１と同様に、ロックボタン１３の出没操作とフック１０の左右へのスライドとにより、左突出位置、右突出位置、収容位置との選択が可能となる。そして、左突出位置では、右側の係止端部１１で蓋体２２を有底孔２０内へ押し込むように前方へスライドさせ、そのまま左側の係止端部１１を上方へ回転させると、基端部１０ａがスリット２３内を通過して起立する。起立状態で前方へのスライドを解除すると、コイルバネ２１による付勢でフック１０が後方へスライドし、基端部１０ａを係止凹部２４に嵌合させるため、起立状態が維持される。よって、そのまま上側のフックとして使用可能となる。
この上突出位置から収容する場合は、フック１０を一旦前方へスライドさせて基端部１０ａを係止凹部２４から離脱させ、そのまま左側へ倒伏させると、スリット２３を通る基端部１０ａと共に左側の係止端部１１が回転し、フック１０は左突出位置へ復帰する。ここから収容位置へ戻せばよい。
【００１８】
このように、上記形態２のフック構造によれば、簡単な構成でフック１０の収容と両サイドでの使用とが共に可能となり、使い勝手に優れるという形態１と同様の効果が得られる。加えて、フック１０を、フック収容部９に形成したスリット２３によってフック収容部９から上方へ係止端部１１が突出する上突出位置に回転可能として、上突出位置のフック１０に係止して当該位置を保持させる第２の保持手段を設けたことで、フック１０がさらに上側のフックとしても使用可能となる。よって、フック使用のバリエーションが増えてより使い勝手が向上する。
特に、第２の保持手段を、上突出位置のフック１０を後方へスライドさせるコイルバネ２１と、スリット２３に連設され、コイルバネ２１によりスライドしたフック１０が係止する係止凹部２４とから形成したことで、上突出位置でのフックの保持が簡単且つ合理的に行える。
【００１９】
［形態３］
この形態３では、上側のフックとして使用する際の角度が選択可能となっている。図５（Ａ）に示すフックユニット６ｂにおいて、ロックボタン１３は、操作部１４とその右側のロック部１５とを備えて、両者間の溝１６がフック収容部９の中央に位置するように設けられて、ロックボタン１３の上限位置で溝１６の前方延長線上に、有底孔２０とコイルバネ２１、蓋体２２とが設けられている。また、フック収容部９内において凹部７の上面左側には、上板８のネジ止め用としても使用され、左端に係止端部１１が嵌合可能なスペースを残して操作部１４の左側を閉塞する規制部２６が突設されている。この形態３ではロックボタン１３のロック部１５と規制部２６とが保持手段となる。
【００２０】
一方、上板８の後方側でハウジング２には、逃げ部となるスリット２７を介して、中央に半円状の膨出部２９を形成した係止板２８が、上板８と平行にネジ止めされている。このスリット２７は、図６に示すように、溝１６に一方の係止端部１１を嵌合させて前方へスライドさせた状態で他方の係止端部１１の回転を１８０°の範囲で許容する位置となっている。よって、フック１０を左右何れかへ倒伏させた状態でコイルバネ２１の付勢によって後方へスライドさせると、基端部１０ａがスリット２７を越えて係止板２８の下方に進入し、左右への回転が規制されることになる。また、係止板２８の膨出部２９の前端縁において、中央とその左右へ略４５°傾斜した両側との三箇所には、夫々フック１０の基端部１０ａが係止可能な係止凹部３０，３０・・が設けられている。
【００２１】
以上の如く構成されたフック構造においては、フック１０の一方の係止端部１１を溝１６に嵌合させた状態でフック１０を前方へスライドさせ、そのまま基端を右側へ回転させれば、スリット２７を介してフック１０が右側へ倒伏する。ここで前方へのスライドを解除すると、図５（Ａ）のようにコイルバネ２１の付勢によってフック１０が後方へスライドし、基端部１０ａを係止板２８と凹部７との間に係止させる。よって、右突出位置のフックとして使用可能となる。
この右突出位置から起立させる場合は、上記手順と逆に、一旦フック１０を前方にスライドさせて基端部１０ａをスリット２７の真下に位置させてから左回転させる。９０°回転した状態でフック１０のスライドを解除すれば、図５（Ｂ）（Ｃ）に示すように基端部１０ａが膨出部２９の中央の係止凹部３０に係止して中央での上突出位置が維持される。但し、左右の係止凹部の何れかを選択して係止させれば、図６に示すように左右へ４５°傾いた姿勢での上突出位置となる。
【００２２】
次に、上突出位置から、図７（Ａ）に示すように、フック１０を一旦前方へスライドさせて係止凹部３０との係止を解除して基端部１０ａを左側へ回転させれば、同図（Ｂ）のようにフック１０が左側へ倒伏する。ここで前方へのスライドを解除すると、同図（Ｃ）のようにフック１０が後方へスライドして基端部１０ａを係止板２８と凹部７との間に係止させる。よって、左突出位置のフックとして使用可能となる。
そして、フック１０を収容する場合は、左突出位置から、図８（Ａ）に示すようにロックボタン１３を下限位置に押し込んでフック１０の係止端部１１と溝１６との嵌合を解除して、フック１０を中央へスライドさせ、ロックボタン１３の押し込みを解除すると、同図（Ｂ）に示すように、ロック部１５が右側の係止端部１１の内側に、規制部２６が左側の係止端部１１の内側に夫々嵌合して収容位置で保持されることになる。
【００２３】
このように、上記形態３のフック構造においても、簡単な構成でフックの収容と両サイドでの使用、さらには上突出位置での使用が夫々可能となり、形態１，２と同様の効果が得られる。特にここでは、上突出位置では３つの角度が選択可能となるので、フック使用のバリエーションが増えてより使い勝手の向上が期待できる。
【００２４】
［形態４］
上記形態１〜３では、保持手段に、フック収容部内で上下方向へ出没するロックボタンを用いているが、スライドさせるタイプも採用可能である。図９，１０はその一例を示すもので、図１０は上板８を取り外した状態で示している。
このフックユニット６ｃにおいて、まずフック１０の基端部１０ａの中央には、横断面コ字状のガイド部材３１が、基端部１０ａに形成した二面幅との嵌合で後方から一体に組み付けられている。このガイド部材３１の下面には、ガイド片３２が突設されて、ガイド片３２を凹部７の底面に設けた左右方向の案内溝３３に遊挿させている。よって、フック１０は、ガイド部材３１及び案内溝３３によって左右方向へのスライドがガイドされることになる。
【００２５】
また、案内溝３３の前方で凹部７の底面中央部には、凹部７の底面よりもやや深くなる嵌合凹部３４が前後方向に形成され、その嵌合凹部３４の周囲には、後方を除いて規制壁３５が立設されて、規制壁３５で囲まれる空間内にスライド部材としてのスライドボタン３６が前後移動可能に収容されている。このスライドボタン３６は、規制壁３５内の前方に設けた付勢手段としてのコイルバネ３７によって、後端の係止部３８が規制壁３５から後方へ突出する後退位置（係止位置）に付勢されるもので、フック１０の基端部１０ａ及びガイド部材３１の前端中央には、スライドボタン３６の後退位置で係止部３８が係止する被係止部としての切欠き３９が形成されている。４０は、スライドボタン３６の上面へ前後方向に突設された長円状の操作部である。
【００２６】
一方、上板８の上面中央には、中央に操作部４０よりも長い前後方向の長孔４２を穿設した凹面部４１が凹設されて、長孔４２にスライドボタン３６の操作部４０が嵌合して外部へ露出している。スライドボタン３６の後退位置では、操作部４０は長孔４２の後端に位置しており、ここから操作部４０に指をあてがう等してスライドボタン３６を、コイルバネ３７の付勢に抗して前方へスライドさせることができるようになっている。
【００２７】
以上の如く構成されたフック構造においては、操作部４０を介してスライドボタン３６を前方へスライドさせると、係止部３８がフック１０の基端部１０ａの切欠き３９から外れるため（これが離間位置となる）、図１１（Ａ）に示すように、フック１０はフック収容部９内を左右にスライド可能となる。そして、例えばフック１０の右側の係止端部１１が規制壁３５に当接する位置でスライドボタン３６のスライドを解除すると、同図（Ｂ）に示すように、スライドボタン３６が後退して係止部３８を、フック１０の基端部１０ａに当接させると共に、被係止部となるガイド部材３１の右側面に係止させる。よって、フック１０はスライドボタン３６によって左右へのスライドが規制され、左側の係止端部１１がフック収容部９から左側へ突出する左突出位置で保持される。逆側の場合は二点鎖線で示すように、係止部３８が被係止部となるガイド部材３１の左側面に係止してフック１０のスライドを規制することになる。
【００２８】
そして、フック１０を収容する場合は、スライドボタン３６を前方の離間位置へスライドさせた状態でフック１０を中央にスライドさせて操作部４０から指を離すと、図９，１０のように再びスライドボタン３６が係止位置へ復帰して係止部３８が切欠き３９に係止する。よって、フック１０はフック収容部９内に収まって左右の係止端部１１，１１が突出しない収容位置で保持される。
【００２９】
このように、上記形態４のフック構造においても、簡単な構成でフック１０の収容と両サイドでの使用とが共に可能となり、使い勝手に優れるという形態１と同様の効果が得られる。
特に、保持手段を、フック１０への係止位置とフック１０から離れる離間位置との間をスライド可能且つコイルバネ３７によって係止位置へ付勢され、フック収容部９の外部から離間位置へスライド操作可能なスライドボタン３６と、フック１０に設けられ、フック１０の各位置ごとに係止位置のスライドボタン３６が係止する複数の被係止部（切欠き３９及びガイド部材３１の左右側面）としたことで、スライドボタン３６のスライド操作によってフック１０の各位置での保持が可能となるため、フック１０の位置変更に伴う操作性が良好となる。また、押し込み操作するロックボタンに比べて上板８からの操作部４０の突出量が小さくて済む。
【００３０】
なお、各形態に共通して、フックは丸棒から形成するものに限らず、帯板を略Ｕ字状に折曲したものであってもよいし、ロックボタンも、フックの形状に合わせてロック部の位置や大きさを適宜変更して差し支えない。勿論矩形のブロック状に限らず、壁体を矩形状に立設したり、複数のリブによって形成したり等、フックの左右突出位置等での保持が可能であれば、適宜変更可能である。また、中央の操作部をなくしてロック部の上面に操作部となる突起を突設することもできる。
さらに、ロックボタンやスライドボタンの付勢手段も、コイルバネに限らず、板バネ等の他の弾性体を用いてもよい。
そして、上記形態ではフックユニットをハウジングの上面に設けているが、ハンドルの端部等の他の場所に設けることは勿論可能で、電動工具もドライバ以外にドリルやドライバドリル、マルノコ等、フックが使用される種々の機種が対象となる。
【００３１】
一方、各形態ごとで言うと、形態１では上板の上フックを省略してもよいし、形態２では、ロック部の位置を左右逆にしたり、第２の付勢手段では蓋体を省略してコイルバネや板バネ等の弾性体でフックを直接スライドさせたりしてもよい。また、第２の付勢手段をフックの後方側に設けてフックを前方へ付勢し、上板側にフックが上突出位置で係止する係止凹部を設けることも考えられる。さらに、形態２の係止凹部を形態３のように係止凹部を複数有する膨出部に代えて、上突出位置での角度変更を可能とすることも可能である。
同様に、形態３においても、ロックボタンと規制部との配置を左右逆にしたり、第２の付勢手段を適宜設計変更したり、係止凹部の数を増減したり等して差し支えない。
そして、形態４においては、 フックに設けるガイド部材をなくして、基端部に直接スライドボタンが係止する凹部等を形成したり、フック側に各位置に対応した凸部を設ける一方、スライドボタンに凸部と嵌合する凹部を設けて両者の係止を図ったり、規制壁やガイド片及び案内溝を省略したり等の設計変更が可能である。
【図面の簡単な説明】
【００３２】
【図１】電動ドライバの全体図で、上が平面、下が側面を夫々示す。
【図２】形態１のフック構造の説明図で、（Ａ）が左突出位置、（Ｂ）がスライド途中、（Ｃ）が収容位置を夫々示す。
【図３】（Ａ）はＡ−Ａ線断面、（Ｂ）はＢ−Ｂ線断面を夫々示す。
【図４】形態２のフック構造の説明図で、上が平面、下が縦断面、右が横断面を夫々示す。
【図５】形態３のフック構造の説明図で、（Ａ）は右突出位置、（Ｂ）は上突出位置、（Ｃ）はその縦断面を夫々示す。
【図６】形態３のフックの移動軌跡を示す説明図である。
【図７】（Ａ）〜（Ｃ）はフックを上突出位置から左突出位置へ変更する状態を示す説明図である。
【図８】（Ａ）（Ｂ）はフックを左突出位置から収容位置へ変更する状態を示す説明図である。
【図９】形態４のフック構造の説明図で、上が平面、下が縦断面を夫々示す。
【図１０】図９において上板を取り外した状態を示す平面図である。
【図１１】（Ａ）（Ｂ）はフックを収容位置から左突出位置へ変更する状態を示す説明図で、上の平面図では上板を取り外した状態で示している。
【符号の説明】
【００３３】
１・・電動ドライバ、２・・ハウジング、３・・ドライバビット、６，６ａ，６ｂ，６ｃ・・フックユニット、７・・凹部、７ａ・・嵌合凹部、８・・上板、９・・フック収容部、１０・・フック、１０ａ・・基端部、１１・・係止端部、１３・・ロックボタン、１４・・操作部、１５・・ロック部、１６・・溝、１７，２１・・コイルバネ、２０・・有底孔、２２・・蓋体、２３，２７・・スリット、２４，３０・・係止凹部、２８・・係止板、３１・・ガイド部材、３２・・ガイド片、３３・・案内溝、３５・・規制壁、３６・・スライドボタン、３８・・係止部、３９・・切欠き、４０・・操作部。
【図１】
0005015815.tif 000002
【図２】
0005015815.tif 000003
【図３】
0005015815.tif 000004
【図４】
0005015815.tif 000005
【図５】
0005015815.tif 000006
【図６】
0005015815.tif 000007
【図７】
0005015815.tif 000008
【図８】
0005015815.tif 000009
【図９】
0005015815.tif 000010
【図１０】
0005015815.tif 000011
【図１１】
0005015815.tif 000012